【事件の表示】
　平成　７年特許願第　１９００６号「画像読取り装置」拒絶査定不服審判事件〔平成　８年　８月２０日出願公開、特開平　８−２１４１１３〕について、次のとおり審決する。
【結　論】
　本件審判の請求は、成り立たない。
【理　由】
１．手続の経緯・本願発明
　本願は、平成７年２月７日の出願であって、平成１４年９月１７日付けの手続補正書によって補正された明細書及び図面の記載からみて、請求項２に係る発明は特許請求の範囲の請求項２に記載された次のとおりのものと認める。（以下、「本願発明」という。）。
「【請求項２】　１ラインの各画素ごとに赤、緑、青のカラーフィルタが一定の順序で繰り返し配列された１つの画像読取り用の１ラインカラーセンサと、写真、印刷物等の画像読取り対象の読取り面に一種類の光源にて照明する照明手段と、この照明手段によって照明された前記読取り面の像を前記１ラインカラーセンサ上に結像するレンズ等からなる光学系とを備え、センサライン方向に電気的に主走査すると共に、前記１ラインカラーセンサを前記照明手段及び光学系と共にセンサライン方向に対して直角方向に機械的に移動させて副走査することにより前記読取り面の画像を読取る画像読取り装置であって、モータとこのモータの回転軸に結合したウォームギアとを有してなり、前記読取り面の結像位置をセンサライン方向に移動させるよう前記光学系のレンズ、ミラー又はレンズとミラーとを駆動する駆動手段と、この駆動手段等を制御することにより、前記１ラインカラーセンサを前記副走査の方向に移動しつつ、各ラインごとに、前記結像位置をセンサライン方向に移動させる前に１回目の主走査をしこのときの走査信号を第１のメモリに記憶させ、続いて前記結像位置を前記１ラインカラーセンサの１画素分に相当する１ピッチだけセンサライン方向に移動させて２回目の主走査をしこのときの走査信号を第２のメモリに記憶させ、更に前記結像位置をセンサライン方向に１ピッチ移動させて３回目の主走査をし、各ラインごとに、前記結像位置をセンサライン方向に移動させる前に１回目の主走査をしこのときの走査信号を第１のメモリに記憶させ、続いて前記結像位置を前記１ラインカラーセンサの１画素分に相当する１ピッチだけセンサライン方向に移動させて２回目の主走査をしこのときの走査信号を第２のメモリに記憶させ、更に前記結像位置をセンサライン方向に１ピッチ移動させて３回目の主走査をしこのときの走査信号を第３のメモリに記憶させるよう制御する制御手段と、前記第１、第２及び第３のメモリに記憶された走査信号に基づいて前記読取り面のカラー画像を得るよう信号処理する信号処理手段とを備えたことを特徴とする画像読取り装置。」
　
２．引用例
  原審の拒絶理由に引用された、実開平４−３１８６９号公報（公開日平成４年３月１６日）（以下引用例１という。）には、図面とともに次の事項が記載されている。
「第１図に示すように、本考案のー実施例のカラー画像読取装置１は、原稿３を載置する原稿台２、この原稿３に対して読取ライン６について照明を行うランプ５と、収束レンズ７と、点順次カラーラインイメージセンサ１０と、このレンズ７及びセンサ１０間の光路中に配置され、副走査方向向きの回転軸８ａ,８ａにより微小往復回転運動可能に支持されたガラス板８と、このガラス板８を、回転軸８ａ,８ａを中心として、主走査方向に対して上下方向へ、光軸の屈折によるガラス板８の透過光のセンサ１０の１受光部ピッチずれ、２受光部ピッチずれ及びずれなしにそれぞれ対応した回転角度θ=α,θ=β,θ=０なる３種類の角度に切り換える圧電アクチュエータ９とを、副走査方向に移動可能に搭載したキャリッジ４、マイコン１３、リニアアクチュエータ駆動回路１４、圧電アクチュエータ９によるガラス板８の角度切換タイミングに同期させて、原稿３の１読取ライン当たり３回ずつ副走査を繰り返すようキャリッジ４を駆動するリニアアクチュエータ１５、位置センサ１６、マイコン１３の制御により圧電アクチュエー タ９の制御を行う圧電アクチュエータ駆動回路１７、マイコン１３の制御により、ガラス板８の３種類の角度に対応したセンサ１０からの３種類の点順次カラー画像読取信号をそれぞれ記億する３個のメモリ１８Ａ,１８Ｂ,１８Ｃ、マイコン１３の制御により、この３個のメモリ１８Ａ,１８Ｂ,１８Ｃからの３種類の点順次カラー画像続取信号に基づき、線順次カラー画像続取信号を合成する線順次カラー信号合成回路１９等から構成されており、前述の第１及び第２の従来例の装置２１及び３１と同様部分については、その説明を省略する。
　そして、マイコン１３の指令に基づく駆動回路１４の制御によるリニアアクチュエータ１５の駆動によって、キャリッジ４が副走査方向に移動すると、続取ライン６に対応して、ラインイメージセンサ１０の前記センサ部１２から、原稿３の続取信号である点順次カラー画像読取信号が出力される。この際、第２図(Ａ)に示すように、キャリッジ４の移動動作は、前記ガラス板８の回転角度θ=０,θ=α,θ=βにそれぞれ対応して、原稿３の１読取ライン当たり３回ずつ副走査を繰り返すものであるから、この点順次カラー画像読取信号は、読取ライン順に　それぞれ、回転角度θ=０に対応してＲ１,Ｇ２,Ｂ３.…Ｇ５０００信号が、θ=αに対応してＧ１,Ｂ２,Ｒ３,Ｂ５０００信号が、θ=βに対応してＢ１,Ｒ２ ,Ｇ３,…Ｒ５０００信号が配列された、３種類のものとなる。
　この回転角度θ=０,θ=α,θ=βに対応した３種類の点順次カラー面像誌取信号は、それぞれ前記メモリ１８Ａ,１８Ｂ,１８Ｃに記憶され、前記線順次カラー信号合成回路１９において、このメモリ１８Ａ,１８Ｂ,１８Ｃからの３種類の点順次カラー画像続取信号から、前述の線順次カラー画像読取信号が合成される。なお、例えば、５,０００個の受光部が１４ｕｍのピッチで７ｃｍにわたって配置された前記センサ１０により、最大続取幅である ４０ｃｍの範囲について前記原稿 ３を読み取る場合、この回転角度θは、αが０.５分,βが１分となる。又、この各回転角度θに対応した前記副走査の時間はセンサ１０の各受光部のー画素読取時間と等しく、例えば１マイクロ秒に設定されている。
　又、同図〔Ｂ)に示すように、前記キャリッジ４の移動動作が、副走査の範囲を１読取ラインの前・後の読取ラインの一部迄広げた、オーバラップ走査の場合は、続取信号の高域成分の低減により、折り返しによる色偽信号の低減がはかられる。
　以上のような構成よりなる本考察のー実施例のカラー画像読取装置１は、１本の前記白黒ラインイメージセンサ１２ａからなる点順次カラーラインイメージセンサ１０により、線順次カラー画像読取信号を得るものであるから、前述の第１及び第２の従来例の装置２１及び３１に比して、高解像度の割りに構成が比較的簡単になり、コストダウンが可能になる。又、前述の如く、オーバラップ走査を行うように制御すれば、折り返しによる色偽信号の低減がはかられるから、コストアップなしで性能の向上が可能になる。
　なお、前述の本考案の一実施例の説明では、前記原稿３が固定され、前記キャリッジ４が副走査方向に移動する方式の一例について述べたが、副走査方向に移動する原稿３を、固定光学系により読み取る方式においても、本考案は応用可能である。
　又、前記３原色が、Ｒ(赤),Ｇ(緑),Ｂ(青)の例について述べたが、これに限らず、例えば、Ｙ(イエロー），Ｍ(マゼンタ)，Ｃ(シアン)でも良い。
　又、前記透明屈折板として、上述のガラス板８の他に、アクリル板等の透明樹脂板等が使用可能であり、前記屈折板揺動手段として、上述の圧電アクチュエータ９の他に、電磁アクチュエータ等が使用可能である。」（１１頁９行−１６頁４行）、
　
と記載されているから、これらの記載より引用例１には次のことが記載されている。
「点順次カラーラインイメージセンサ１０と、
原稿３に対して読取ライン６について照明を行うランプ５と、
収束レンズ７と、前記レンズ及び前記センサ間の光路中に配置され、副走査方向向きの回転軸８ａ,８ａにより微小往復回転運動可能に支持されたガラス板８と、
前記点順次カラーラインイメージセンサ、前記ランプ、前記収束レンズ 、前記ガラス板とを副走査方向に移動可能に搭載したキャリッジ４と、リニアアクチュエータ駆動回路１４と、圧電アクチュエータ９によるガラス板８の角度切換タイミングに同期させて、原稿３の１読取ライン当たり３回ずつ副走査を繰り返すよう前記キャリッジを駆動するリニアアクチュエータ１５とを有するカラー画像読取装置であって、
　前記ガラス板を、回転軸８ａ,８ａを中心として、主走査方向に対して上下方向へ、光軸の屈折によるガラス板８の透過光のセンサ１０の１受光部ピッチずれ、２受光部ピッチずれ及びずれなしにそれぞれ対応した回転角度θ=α,θ=β,θ=０なる３種類の角度に切り換える圧電アクチュエ ータ９と、
前記圧電アクチュエータの制御を行う圧電アクチュエータ駆動回路１７及び前記ガラス板の３種類の角度に対応した前記センサからの３種類の点順次カラー画像読取信号をそれぞれ記億する３個のメモリ１８Ａ,１８Ｂ,１８Ｃを制御するマイコン１３と、
マイコン１３の制御により、この３個のメモリ１８Ａ,１８Ｂ,１８Ｃからの３種類の点順次カラー画像続取信号に基づき、線順次カラー画像続取信号を合成する線順次カラー信号合成回路１９とを設けたカラー画像読取装置。」
　
３．対比
　そこで、本願発明と引用例１の発明とを比較すると、
引用例１の「点順次カラーラインイメージセンサ１０」は、本願発明の「１ラインカラーセンサ」に、
引用例１の「原稿３に対して読取ライン６について照明を行うランプ５」は、本願発明の「照明手段」に、
引用例１の「収束レンズ７」及び「前記レンズ及び前記センサ間の光路中に配置され、副走査方向向きの回転軸８ａ,８ａにより微小往復回転運動可能に支持されたガラス板８」は、本願発明の「光学系」に、
引用例１の「リニアアクチュエータ１５」の動作は、圧電アクチュエータ９によるガラス板８の角度切換タイミングに同期させて、原稿３の１読取ライン当たり３回ずつ副走査を繰り返すように、点順次カラーラインイメージセンサ、ランプ、収束レンズ 、ガラス板とを副走査方向に移動可能に搭載したキャリッジ４を駆動するものであることから、下記の相違点を除いて、本願発明の「センサライン方向に電気的に主走査すると共に、前記１ラインカラーセンサを前記照明手段及び光学系と共にセンサライン方向に対して直角方向に機械的に移動させて副走査すること」に、
 引用例１の「アクチュエ ータ９」は、下記の相違点を除いて、本願発明の「駆動手段」に、
引用例１の「マイコン１３」は、本願発明の「制御手段」に、
引用例１の「線順次カラー信号合成回路１９」は、本願発明の「信号処理手段」にそれぞれ相当し、
　
　両者は
「１ラインの各画素ごとに赤、緑、青のカラーフィルタが一定の順序で繰り返し配列された１つの画像読取り用の１ラインカラーセンサと、写真、印刷物等の画像読取り対象の読取り面に一種類の光源にて照明する照明手段と、この照明手段によって照明された前記読取り面の像を前記１ラインカラーセンサ上に結像するレンズ等からなる光学系とを備え、センサライン方向に電気的に主走査すると共に、前記１ラインカラーセンサを前記照明手段及び光学系と共にセンサライン方向に対して直角方向に機械的に移動させて副走査することにより前記読取り面の画像を読取る画像読取り装置であって、前記読取り面の結像位置をセンサライン方向に移動させるよう前記光学系を駆動する駆動手段と、この駆動手段等を制御することにより、前記１ラインカラーセンサを移動し、各ラインごとに、前記結像位置をセンサライン方向に移動させる前に１回目の主走査をしこのときの走査信号を第１のメモリに記憶させ、続いて前記結像位置を前記１ラインカラーセンサの１画素分に相当する１ピッチだけセンサライン方向に移動させて２回目の主走査をしこのときの走査信号を第２のメモリに記憶させ、更に前記結像位置をセンサライン方向に１ピッチ移動させて３回目の主走査をしこのときの走査信号を第３のメモリに記憶させるよう制御する制御手段と、前記第１、第２及び第３のメモリに記憶された走査信号に基づいて前記読取り面のカラー画像を得るよう信号処理する信号処理手段とを備えたことを特徴とする画像読取り装置。」
で一致し、以下の点において相違する。
　
（相違点）
（相違点１）
　本願発明は、１ラインカラーセンサを副走査の方向に移動しつつ、３回の主走査をするのに対し、引用例１は、点順次カラーラインイメージセンサ１０を１読取ライン当たり３回ずつ副走査を繰り返し、３回の主走査をする点。
　
（相違点２）
　本願発明は、モータとこのモータの回転軸に結合したウォームギアとを用いてレンズ、ミラー又はレンズとミラーとを駆動する駆動手段であるのに対し、引用例１は圧電アクチュエータを用いてガラス板８を駆動する駆動手段である点。
　
４．当審の判断
　上記相違点１について
　副走査として１読取ライン当たり、３回の副走査を繰り返すことも、文言上では、１ラインカラーセンサを副走査の方向に移動しつつ、３回の主走査をしている点では同じである。
　
　上記相違点２について
　駆動手段としてモータとこのモータの回転軸に結合したウォームギアは周知技術であり、引用例１の駆動手段として圧電アクチュエータの代わりにモータとこのモータの回転軸に結合したウォームギアとを用いることは当業者が容易に実施し得るものと認められる。また、透過光をセンサ１０に対して受光部ピッチずれを生じさせるのに、ガラス板を用いるかレンズを用いるかは当業者にとって必要に応じて適宜選択し得ることにすぎないと認められる。
　
５．むすび
　以上のとおり、本願発明は、引用例１に記載された発明に記載された発明、及び、周知技術に基づいて当業者が容易に発明をすることができたものであるから、特許法第２９条第２項の規定により特許を受けることができない。
　よって、結論のとおり審決する。